(57)【要約】【課題】施設の利用者数を効率良く増加させることが可能な特典付与システム、特典付与装置、特典付与方法、及び特典付与プログラムを提供すること。【解決手段】特典付与システムは、第１施設の利用者の前記第１施設とは異なる第２施設の利用履歴情報を取得する取得処理部と、前記利用履歴情報に基づいて、前記第１施設を利用した利用者に特典を付与する付与処理部と、前記付与処理部により前記利用者に前記特典が付与された場合に、前記利用者に前記特典が付与されたことを示す特典履歴情報を記録する記録処理部とを備え、前記付与処理部は、前記特典履歴情報が特定条件を満たす場合に、前記利用者に前記特典を付与する。【選択図】図７
2019185574.tif 000002
【特許請求の範囲】
【請求項１】
第１施設の利用者の前記第１施設とは異なる第２施設の利用履歴情報を取得する取得処理部と、
前記利用履歴情報に基づいて、前記第１施設を利用した利用者に特典を付与する付与処理部と、
前記付与処理部により前記利用者に前記特典が付与された場合に、前記利用者に前記特典が付与されたことを示す特典履歴情報を記録する記録処理部とを備え、
前記付与処理部は、前記特典履歴情報が特定条件を満たす場合に、前記利用者に前記特典を付与する、
特典付与システム。
【請求項２】
前記特定条件は、特定期間に前記利用者に前記特典が付与された回数に関する条件を含む、
請求項１に記載の特典付与システム。
【請求項３】
前記特定条件は、前記第１施設各々で前記利用者に前記特典が付与された回数に関する条件を含む、
請求項１に記載の特典付与システム。
【請求項４】
前記付与処理部は、前記利用者が前記第１施設を予約済みであるか否かを前記第１施設の予約情報に基づいて判断し、前記利用者が前記第１施設を予約済みであることを条件として、前記利用者に前記特典を付与する、
請求項１〜３のいずれかに記載の特典付与システム。
【請求項５】
前記第２施設が特定の交通機関であり、
前記付与処理部は、前記利用者が前記第１施設を予約済みである場合に、前記利用者が前記第１施設に来訪するために利用した交通機関が特定の交通機関であるか否かに応じて前記利用者に異なる特典を付与する、
請求項４に記載の特典付与システム。
【請求項６】
前記第２施設が鉄道であり、
前記利用履歴情報には、前記利用者が乗車及び降車した駅を示す駅情報と、前記利用者が乗車及び降車した日時を示す日時情報とが含まれている、
請求項１〜５のいずれかに記載の特典付与システム。
【請求項７】
前記付与処理部は、前記利用者による前記第１施設の利用日時と前記利用者が前記鉄道の最寄駅で降車又は乗車した日時とが予め定められた条件を満たすことを条件として、前記利用者に前記特典を付与する、
請求項６に記載の特典付与システム。
【請求項８】
前記付与処理部は、前記利用者が前記第１施設に来訪するために利用した鉄道の利用区間に応じて前記利用者に異なる特典を付与する、
請求項６又は請求項７に記載の特典付与システム。
【請求項９】
前記付与処理部は、前記利用者による前記第１施設の最寄駅の利用頻度が予め定められた条件を満たすことを条件として、前記利用者に前記特典を付与する、
請求項６〜８のいずれかに記載の特典付与システム。
【請求項１０】
前記付与処理部は、前記利用者が前記第１施設の最寄駅で下車後に前記第１施設を利用し、且つ前記利用者が前記第１施設の利用後に前記最寄駅で乗車したことを条件として、前記利用者に前記特典を付与する、
請求項６〜９のいずれかに記載の特典付与システム。
【請求項１１】
第１施設の利用者の前記第１施設とは異なる第２施設の利用履歴情報を取得する取得処理部と、
前記利用履歴情報に基づいて、前記第１施設を利用した利用者に特典を付与する付与処理部と、
前記付与処理部により前記利用者に前記特典が付与された場合に、前記利用者に前記特典が付与されたことを示す特典履歴情報を記録する記録処理部とを備え、
前記付与処理部は、前記特典履歴情報が特定条件を満たす場合に、前記利用者に前記特典を付与する、
特典付与装置。
【請求項１２】
第１施設の利用者の前記第１施設とは異なる第２施設の利用履歴情報を取得する取得ステップと、
前記利用履歴情報に基づいて、前記第１施設を利用した利用者に特典を付与する付与ステップと、
前記付与ステップで前記利用者に前記特典が付与された場合に、前記利用者に前記特典が付与されたことを示す特典履歴情報を記録する記録ステップとを含み、
前記付与ステップでは、前記特典履歴情報が特定条件を満たす場合に、前記利用者に前記特典が付与される、
特典付与方法。
【請求項１３】
一又は複数のプロセッサーに、
第１施設の利用者の前記第１施設とは異なる第２施設の利用履歴情報を取得する取得ステップと、
前記利用履歴情報に基づいて、前記第１施設を利用した利用者に特典を付与する付与ステップと、
前記付与ステップで前記利用者に前記特典が付与された場合に、前記利用者に前記特典が付与されたことを示す特典履歴情報を記録する記録ステップとを実行させ、
前記付与ステップでは、前記特典履歴情報が特定条件を満たす場合に、前記利用者に前記特典が付与される、
特典付与プログラム。
【発明の詳細な説明】
【技術分野】
【０００１】
本発明は、特典付与システム、特典付与装置、特典付与方法、及び特典付与プログラムに関する。
【背景技術】
【０００２】
駐車料金を精算する際に、交通機関用ＩＣカードから乗車履歴データを取得して、前記乗車履歴データが所定条件を満たしている場合に駐車料金を割り引く駐車料金精算機が知られている（例えば、特許文献１参照）。
【先行技術文献】
【特許文献】
【０００３】
【特許文献１】特開２０１０−３３５６６号公報
【発明の概要】
【発明が解決しようとする課題】
【０００４】
ところで、特定の交通機関を利用して飲食店に来訪した利用者に対して、飲食代の割引などの特典を付与することによって、前記交通機関の利用者数の増加を図ることが考えられる。この場合、前記交通機関を利用して飲食店に来訪した利用者に対して無条件に飲食代を割り引くと、通勤や通学などで前記交通機関を日常的に利用している利用者に対して飲食代を常に割り引くことになる。このような利用者に対して飲食代を割り引くことは、前記交通機関の利用者数の増加には貢献しない。
【０００５】
本発明の目的は、施設の利用者数を効率良く増加させることが可能な特典付与システム、特典付与装置、特典付与方法、及び特典付与プログラムを提供することにある。
【課題を解決するための手段】
【０００６】
本発明に係る特典付与システムは、第１施設の利用者の前記第１施設とは異なる第２施設の利用履歴情報を取得する取得処理部と、前記利用履歴情報に基づいて、前記第１施設を利用した利用者に特典を付与する付与処理部と、前記付与処理部により前記利用者に前記特典が付与された場合に、前記利用者に前記特典が付与されたことを示す特典履歴情報を記録する記録処理部とを備え、前記付与処理部は、前記特典履歴情報が特定条件を満たす場合に、前記利用者に前記特典を付与する。
【０００７】
本発明に係る特典付与装置は、第１施設の利用者の前記第１施設とは異なる第２施設の利用履歴情報を取得する取得処理部と、前記利用履歴情報に基づいて、前記第１施設を利用した利用者に特典を付与する付与処理部と、前記付与処理部により前記利用者に前記特典が付与された場合に、前記利用者に前記特典が付与されたことを示す特典履歴情報を記録する記録処理部とを備え、前記付与処理部は、前記特典履歴情報が特定条件を満たす場合に、前記利用者に前記特典を付与する。
【０００８】
本発明に係る特典付与方法は、第１施設の利用者の前記第１施設とは異なる第２施設の利用履歴情報を取得する取得ステップと、
前記利用履歴情報に基づいて、前記第１施設を利用した利用者に特典を付与する付与ステップと、前記付与ステップで前記利用者に前記特典が付与された場合に、前記利用者に前記特典が付与されたことを示す特典履歴情報を記録する記録ステップとを含み、前記付与ステップでは、前記特典履歴情報が特定条件を満たす場合に、前記利用者に前記特典が付与される。
【０００９】
本発明に係る特典付与プログラムは、一又は複数のプロセッサーに、第１施設の利用者の前記第１施設とは異なる第２施設の利用履歴情報を取得する取得ステップと、前記利用履歴情報に基づいて、前記第１施設を利用した利用者に特典を付与する付与ステップと、前記付与ステップで前記利用者に前記特典が付与された場合に、前記利用者に前記特典が付与されたことを示す特典履歴情報を記録する記録ステップとを実行させ、前記付与ステップでは、前記特典履歴情報が特定条件を満たす場合に、前記利用者に前記特典が付与される。
【発明の効果】
【００１０】
本発明によれば、施設の利用者数を効率良く増加させることが可能な特典付与システム、特典付与装置、特典付与方法、及び特典付与プログラムが提供される。
【図面の簡単な説明】
【００１１】
【図１】図１は、本発明の実施形態に係る特典付与システムの構成を示すブロック図である。
【図２】図２は、本発明の実施形態に係る特典付与システムで使用される店舗情報の一例を示す図である。
【図３】図３は、本発明の実施形態に係る特典付与システムで使用される予約情報の一例を示す図である。
【図４】図４は、本発明の実施形態に係る特典付与システムで使用される特典情報の一例を示す図である。
【図５】図５は、本発明の実施形態に係る特典付与システムで使用される特典履歴情報の一例を示す図である。
【図６】図６は、本発明の実施形態に係る特典付与システムで使用される利用履歴情報の一例を示す図である。
【図７】図７は、本発明の実施形態に係る特典付与装置で実行される特典付与処理の手順の一例を示すフローチャートである。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［特典付与システム１００］
図１に示すように、本発明の実施形態に係る特典付与システム１００は、特典付与装置１と店舗端末２と鉄道業者サーバー３と利用者端末４とを含む。特典付与装置１、店舗端末２、鉄道業者サーバー３、及び利用者端末４は、インターネット、ＬＡＮ、ＷＡＮ、又は公衆電話回線などの通信網Ｎ１を介して通信可能である。
【００１４】
［特典付与装置１］
特典付与装置１は、複数の飲食店に関する情報（例えば、店名、所在地、電話番号、営業日、営業時間帯、業態、メニュー、席数、予算など）を提供するグルメ情報提供サイトとしての機能を備えている。また、特典付与装置１は、前記飲食店についての予約を受け付ける予約受付サイトとしての機能を備えている。
【００１５】
ところで、特定の交通機関を利用して飲食店に来訪した利用者に対して、飲食代の割引などの特典を付与することによって、前記交通機関の利用者数の増加を図ることが考えられる。この場合、前記交通機関を利用して飲食店に来訪した利用者に対して無条件に飲食代を割り引くと、通勤や通学などで前記交通機関を日常的に利用している利用者に対して飲食代を常に割り引くことになる。このような利用者に対して飲食代を割り引くことは、前記交通機関の利用者数の増加には貢献しない。これに対して、本実施形態に係る特典付与システム１００によれば、施設の利用者数を効率良く増加させることが可能である。
【００１６】
本実施形態では、一例として、鉄道を利用して飲食店に来訪した利用者に対して飲食代の割引などの特典を付与することによって、鉄道の利用者数の増加を図る場合について説明する。前記飲食店は、本発明の「第１施設」の一例であり、前記鉄道は、本発明の「第２施設」の一例である。なお、本発明の「第１施設」及び「第２施設」は、飲食店と鉄道との組み合わせに限定されず、任意の２つの施設（例えば、商品を販売する店舗、宿泊施設、映画館、動物園、遊園地、ゴルフ場など）の組み合わせであればよい。本発明の「第１施設」及び「第２施設」は、同一の種類の施設であってもよいし、異なる種類の施設であってもよい。
【００１７】
図１に示されるように、特典付与装置１は、制御部１１、記憶部１２、及び通信Ｉ／Ｆ１３などを備えるサーバーコンピューターである。なお、特典付与装置１は、１台のコンピューターに限らず、複数台のコンピューターが協働して動作するコンピューターシステムであってもよい。また、特典付与装置１で実行される各種の処理は、一又は複数のプロセッサーによって分散して実行されてもよい。
【００１８】
通信Ｉ／Ｆ１３は、特典付与装置１を有線又は無線で通信網Ｎ１に接続し、通信網Ｎ１を介して店舗端末２、鉄道業者サーバー３，利用者端末４などの外部機器との間で所定の通信プロトコルに従ったデータ通信を実行するための通信インターフェースである。
【００１９】
記憶部１２は、各種の情報を記憶する半導体メモリ、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを含む不揮発性の記憶部である。具体的に、記憶部１２には、店舗情報Ｄ１、予約情報Ｄ２、特典情報Ｄ３、及び特典履歴情報Ｄ４などのデータが記憶される。ここに、図２は、店舗情報Ｄ１の一例を示す図である。図３は、予約情報Ｄ２の一例を示す図である。図４は、特典情報Ｄ３の一例を示す図である。図５は、特典履歴情報Ｄ４の一例を示す図である。
【００２０】
店舗情報Ｄ１には、前記グルメ情報提供サイトに登録されている複数の飲食店に関する情報が含まれる。図２に示されるように、店舗情報Ｄ１には、飲食店ごとに、対応する「店舗ＩＤ」、「店舗名」、「所在地」、「最寄駅」、「業態」などの情報が含まれる。「店舗ＩＤ」は、前記飲食店を識別するための識別情報である。「店舗名」は、前記飲食店の名称である。「所在地」は、前記飲食店の所在地を示す。「最寄駅」は、前記飲食店に最も近い駅を示す。なお、「最寄駅」に、複数の鉄道業者の各々ごとに、前記飲食店に最も近い駅が示されていてもよい。「業態」は、前記飲食店で提供される料理ジャンルなどに基づく前記飲食店の分類である。
【００２１】
予約情報Ｄ２には、前記予約受付サイトにおいて受け付けられた予約に関する情報が含まれる。図３に示されるように、予約情報Ｄ２には、前記予約受付サイトにおいて受け付けられた予約ごとに、対応する「受付日時」、「利用者ＩＤ」、「利用日時」、「利用人数」などの情報が含まれる。「受付日時」は、前記予約が受け付けられた日時である。「利用者ＩＤ」は、前記予約を申し込んだ利用者（予約者）の識別情報である。「利用日時」は、前記予約者が飲食店を利用する日時である。「利用人数」は、飲食店を利用するグループの人数である。
【００２２】
特典情報Ｄ３には、飲食店を利用した利用者に対して付与される特典に関する情報が含まれる。図４に示されるように、特典情報Ｄ３には、利用者に対して特典を付与するキャンペーンを実施中の飲食店ごとに、「店舗ＩＤ」、「キャンペーンＩＤ」、「実施期間」、「特典ＩＤ」、「特典付与条件」などの情報が含まれる。「店舗ＩＤ」は、飲食店を識別するための識別情報である。「キャンペーンＩＤ」は、前記キャンペーンを識別するための識別情報である。前記キャンペーンは、例えば、特定期間に最寄駅まで特定の鉄道を利用して特定の飲食店を利用すると当該飲食店での飲食代が半額になるキャンペーン、特定期間に最寄駅まで特定の鉄道を利用して特定の飲食店を利用すると当該飲食店の特定の飲食物が無料になるキャンペーンなどである。「実施期間」は、前記キャンペーンの実施期間であって、例えば、前記キャンペーンの開始日及び終了日を示す情報である。「特典ＩＤ」は、前記キャンペーンの実施中に前記飲食店の利用者に付与される特典を識別するための識別情報である。前記特典は、例えば、飲食代が半額になる特典、特定の飲食物が無料になる特典、割引クーポンのようなクーポンが付与される特典、金銭的価値を有するポイントが付与される特典などである。「特典付与条件」は、前記利用者に前記特典が付与される条件である。前記条件は、例えば、「飲食店を利用した利用者に対して同一のキャンペーンの特典が所定回数（例えば１回）以上付与されておらず、且つ前記利用者が特定の鉄道を利用して前記飲食店に来訪したこと」、「飲食店を利用した利用者に対して前記飲食店の特典が所定回数（例えば１回）以上付与されておらず、且つ前記利用者が特定の鉄道を利用して前記飲食店に来訪したこと」などである。
【００２３】
特典履歴情報Ｄ４には、過去に飲食店を利用した利用者に対して付与された特典に関する情報が含まれる。図５に示されるように、特典履歴情報Ｄ４には、いずれかの飲食店を利用した利用者に対して特典が付与されるごとに、「店舗ＩＤ」、「付与日時」、「利用者ＩＤ」、「キャンペーンＩＤ」、「特典ＩＤ」などの情報が記録される。「店舗ＩＤ」は、前記利用者が利用した飲食店を識別するための識別情報である。「付与日時」は、前記利用者に対して特典が付与された日時である。「利用者ＩＤ」は、前記利用者を識別するための識別情報である。「キャンペーンＩＤ」は、前記利用者に特典が付与されたときに開催されていたキャンペーンを識別するための識別情報である。「特典ＩＤ」は、前記利用者に付与された特典を識別するための識別情報である。前記特典は、例えば、飲食代が半額になる特典、特定の飲食物が無料になる特典、割引クーポンのようなクーポンが付与される特典、金銭的価値を有するポイントが付与される特典などである。
【００２４】
なお、他の実施形態として、店舗情報Ｄ１、予約情報Ｄ２、及び特典履歴情報Ｄ４の一部又は全部が、特典付与装置１から通信網Ｎ１を介してアクセス可能な他のサーバーに記憶されていることも考えられる。そして、特典付与装置１の制御部１１は、必要に応じて前記サーバーから各種の情報を取得して、後述の特典付与処理（図７参照）などの各処理を実行してもよい。また、他の実施形態として、店舗情報Ｄ１、予約情報Ｄ２、及び特典履歴情報Ｄ４の一部又は全部が、店舗端末２に記憶されていることも考えられる。そして、特典付与装置１の制御部１１は、必要に応じて店舗端末２から各種の情報を取得して、後述の特典付与処理（図７参照）などの各処理を実行してもよい。また、他の実施形態として、店舗情報Ｄ１、予約情報Ｄ２、及び特典履歴情報Ｄ４の一部又は全部が、特典付与装置１と店舗端末２の両方に記憶されていることも考えられる。
【００２５】
さらに、記憶部１２には、制御部１１に後述の特典付与処理（図７参照）を実行させるための特典付与プログラムなどの制御プログラムが記憶されている。例えば、前記特典付与プログラムは、ＣＤ又はＤＶＤなどのコンピューター読取可能な記録媒体に非一時的に記録されており、特典付与装置１が備えるＣＤドライブ又はＤＶＤドライブなどの読取装置（不図示）で読み取られて記憶部１２に記憶される。
【００２６】
制御部１１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより特典付与装置１を制御する。
【００２７】
具体的に、制御部１１は、図１に示されるように、取得処理部１１１、付与処理部１１２、記録処理部１１３などの各種の処理部を含む。なお、制御部１１は、前記ＣＰＵで前記特典付与プログラムに従った各種の処理を実行することによって前記各種の処理部として機能する。また、制御部１１に含まれる一部又は全部の処理部が電子回路で構成されていてもよい。なお、前記特典付与プログラムは、複数のプロセッサーを前記各種の処理部として機能させるためのプログラムであってもよい。
【００２８】
取得処理部１１１は、飲食店（本発明の「第１施設」の一例）の利用者の、鉄道（本発明の「第２施設」の一例）の利用履歴情報を取得する。取得処理部１１１は、例えば、鉄道業者サーバー３から前記利用者の鉄道の利用履歴情報を通信網Ｎ１を通じて受信する。図６は、鉄道業者サーバー３の記憶部３２に記憶される利用履歴情報Ｄ５の一例を示す図である。
【００２９】
利用履歴情報Ｄ５には、過去に鉄道を利用した利用者及びその乗車区間に関する情報が含まれる。利用履歴情報Ｄ５には、利用者が鉄道を利用するごとに、「利用者ＩＤ」、「乗車駅」、「乗車日時」、「降車駅」、「降車日時」などの情報が記録される。これらの情報は、鉄道の各駅に設置された自動改札機で読み取られたＩＣカード（運賃の支払い機能を有するＩＣカード）の情報に基づいて、利用履歴情報Ｄ５として記録される。「利用者ＩＤ」は、鉄道の利用者（すなわち、前記ＩＣカードの所有者）を識別するための識別情報である。「乗車駅」は、前記利用者が列車に乗車した駅である。「乗車日時」は、前記利用者が列車に乗車した日時（より正確には、乗車駅に設置された自動改札機で前記ＩＣカードが読み取られた日時）である。「降車駅」は、前記利用者が列車から降車した駅である。「降車日時」は、前記利用者が列車から降車した日時（より正確には、降車駅に設置された自動改札機で前記ＩＣカードが読み取られた日時）である。「乗車駅」及び「降車駅」は、本発明の「駅情報」の一例であり、「乗車日時」及び「降車日時」は、本発明の「日時情報」の一例である。
【００３０】
取得処理部１１１は、飲食店の利用者を識別するための識別情報（例えば、利用者ＩＤなど）を鉄道業者サーバー３に送信する。鉄道業者サーバー３は、利用履歴情報Ｄ５の中から前記識別情報に対応する利用者の利用履歴情報を抽出して、特典付与装置１に送信する。なお、取得処理部１１１は、前記利用者の識別情報を、店舗端末２又は利用者端末４から取得することができる。前記飲食店における飲食代の精算時に、店舗端末２が、前記利用者が携帯しているＩＣカードからＩＣカードリーダー（不図示）を通じて前記利用者の識別情報を読み出して、特典付与装置１に送信してもよい。もしくは、店舗端末２が、前記利用者が携帯している利用者端末４から前記利用者の識別情報を受信して、特典付与装置１に送信してもよい。もしくは、前記利用者が携帯している利用者端末４が、前記利用者の識別情報を特典付与装置１に送信してもよい。
【００３１】
なお、他の実施形態では、取得処理部１１１は、飲食店の利用者の鉄道の利用履歴情報を、前記飲食店に設置された店舗端末２から通信網Ｎ１を通じて受信してもよい。例えば、店舗端末２は、前記利用者が携帯しているＩＣカードからＩＣカードリーダー（不図示）を通じて鉄道の利用履歴情報を読み出して、特典付与装置１に送信してもよい。もしくは、店舗端末２は、前記利用者が携帯している利用者端末４から鉄道の利用履歴情報を受信して、特典付与装置１に送信してもよい。
【００３２】
また、他の実施形態では、取得処理部１１１は、飲食店の利用者の鉄道の利用履歴情報を、前記利用者が携帯している利用者端末４から通信網Ｎ１を通じて受信してもよい。
【００３３】
また、他の実施形態では、取得処理部１１１は、利用者端末４において周期的に記録されるＧＰＳ（Ｇｌｏｂａｌ  Ｐｏｓｉｔｉｏｎｉｎｇ  Ｓｙｓｔｅｍ）などの位置情報（すなわち、利用者端末４の移動経路を示す情報）を、鉄道の利用履歴情報として利用者端末４から受信してもよい。そして、取得処理部１１１は、前記位置情報に基づいて、乗車駅、乗車日時、降車駅、降車日時などを判定してもよい。この場合、取得処理部１１１は、前記位置情報に基づいて利用者端末４の移動速度を算出し、利用者端末４の移動経路と移動速度とに基づいて、前記利用者が鉄道を利用したか否かを判定してもよい。
【００３４】
また、他の実施形態では、駅の構内に掲示された二次元コード（例えば、駅の識別情報を含む二次元コード）が利用者端末４のカメラ（不図示）で撮影されてもよい。そして、取得処理部１１１は、前記二次元コードに含まれる情報を、鉄道の利用履歴情報として利用者端末４から受信してもよい。もしくは、利用者端末４の操作表示部４３に表示された前記二次元コードが店舗端末２に接続されたバーコードリーダー（不図示）によって読み取られてもよい。そして、取得処理部１１１は、前記二次元コードに含まれる情報を店舗端末２から受信してもよい。
【００３５】
付与処理部１１２は、取得処理部１１１により取得される鉄道の利用履歴情報に基づいて、飲食店を利用した利用者に特典を付与する。例えば、付与処理部１１２は、図４に示される特典情報Ｄ３に基づいて、飲食店を利用した利用者に特典を付与する。例えば、付与処理部１１２により前記利用者に付与される特典が、飲食代が半額になる特典である場合、付与処理部１１２は、飲食代が半額になる旨を示す信号を店舗端末２に送信する。その結果、店舗端末２では、本来の飲食代の半額が、前記利用者への請求金額として提示される。また、付与処理部１１２により前記利用者に付与される特典が、金銭的価値を有するポイントが付与される特典である場合、付与処理部１１２は、記憶部１２に記憶されている前記利用者のポイント数に所定数を加算する。
【００３６】
記録処理部１１３は、付与処理部１１２により前記利用者に前記特典が付与された場合に、前記利用者に前記特典が付与されたことを示す特典履歴情報Ｄ４を記録する。具体的に、記録処理部１１３は、図５に示される特典履歴情報Ｄ４に、新たなレコードを追加する。なお、「店舗ＩＤ」は、例えば、前記利用者が利用した飲食店に設置されている店舗端末２から、通信網Ｎ１を通じて受信されてもよい。もしくは、前記利用者が利用した飲食店の店内に、「店舗ＩＤ」の情報が含まれる二次元コードが掲示されており、前記二次元コードを読み取った利用者端末４が、「店舗ＩＤ」の情報を通信網Ｎ１を通じて特典付与装置１に送信してもよい。
【００３７】
付与処理部１１２は、特典履歴情報Ｄ４が特定条件を満たす場合に、前記利用者に前記特典を付与する。前記特定条件は、特定期間（例えば、同一のキャンペーンの実施期間など）に前記利用者に前記特典が付与された回数に関する条件を含んでいてもよい。例えば、前記特定条件が、同一のキャンペーンの実施期間において前記利用者に特典が所定回数（例えば１回）以上付与されていないことであってもよい。また、前記特定条件は、飲食店各々で前記利用者に前記特典が付与された回数に関する条件を含んでいてもよい。例えば、前記特定条件が、同一の飲食店において前記利用者に特典が所定回数（例えば１回）以上付与されていないことであってもよい。これにより、例えば、特定の交通機関を利用して飲食店に来訪した利用者に対して特典を付与する場合に、通勤や通学などで前記交通機関を日常的に利用している利用者に対して前記特典が無制限に付与されてしまうことを回避することができる。これにより、前記交通機関の利用者数の増加には貢献しないような利用者への特典の付与が抑制されるので、前記交通機関の利用者数を効率良く増加させることが可能である。
【００３８】
付与処理部１１２は、前記利用者が前記飲食店を予約済みであるか否かを予約情報Ｄ２に基づいて判断し、前記利用者が前記飲食店を予約済みであることを条件として、前記利用者に前記特典を付与してもよい。この場合、前記予約受付サイトにおいて、前記飲食店を予約した上で特定の交通機関を利用して前記飲食店に来訪した利用者に対してのみ特典が付与される旨が表示されてもよい。これにより、例えば、特定の交通機関を利用して飲食店に来訪した利用者に対して特典を付与する場合に、通勤や通学などで前記交通機関を日常的に利用している利用者（すなわち、前記交通機関の利用者数の増加には貢献しないような利用者）への特典の付与が抑制されるので、前記交通機関の利用者数を効率良く増加させることが可能である。
【００３９】
付与処理部１１２は、前記利用者が前記飲食店を予約済みである場合に、前記利用者が前記飲食店に来訪するために利用した交通機関（例えば、鉄道、バス、タクシーなど）が特定の交通機関（例えば、鉄道）であるか否かに応じて前記利用者に異なる特典を付与してもよい。例えば、付与処理部１１２は、前記交通機関が第１交通機関（例えば、鉄道）である場合は前記利用者に第１特典を付与し、前記交通機関が第２交通機関（例えば、バス）である場合は前記利用者に前記第１特典とは異なる第２特典を付与し、前記交通機関が第３交通機関（例えば、タクシー）である場合は前記利用者に特典を付与しないようにしてもよい。
【００４０】
付与処理部１１２は、前記利用者による前記飲食店の利用日時（例えば、入店日時、精算日時など）と前記利用者が前記鉄道の最寄駅で降車又は乗車した日時とが予め定められた条件を満たすことを条件として、前記利用者に前記特典を付与してもよい。ところで、通勤又は通学などで前記最寄駅を利用している利用者が、休憩時間に前記飲食店を利用する場合、前記飲食店の利用日時と前記最寄駅で降車又は乗車した日時との間に大きな時間差が生じることがある。一方、利用者が、前記飲食店に来訪するためだけに前記最寄駅を利用した場合、前記飲食店の利用日時と前記最寄駅で降車又は乗車した日時との間に大きな時間差は生じない。そこで、付与処理部１１２は、例えば、前記利用者による前記飲食店の利用日時と前記利用者が前記鉄道の最寄駅で降車又は乗車した日時との時間差が、予め定められた閾値以下であることを条件として、前記利用者に前記特典を付与してもよい。これにより、通勤や通学などで前記最寄駅を日常的に利用している利用者（すなわち、鉄道の利用者数の増加には貢献しないような利用者）への特典の付与が抑制されるので、鉄道の利用者数を効率良く増加させることが可能である。なお、前記閾値は、前記飲食店ごとに個別に設定されてもよい。例えば、前記閾値が、前記飲食店と前記最寄駅との間の距離又は道程に応じて設定又は変更されてもよい。
【００４１】
付与処理部１１２は、前記利用者が前記飲食店に来訪するために利用した鉄道の利用区間に応じて前記利用者に異なる特典を付与してもよい。例えば、付与処理部１１２は、前記利用区間が相対的に長い利用者に対して、前記利用区間が相対的に短い利用者よりも有利な特典（例えば、飲食代をより大きく割り引くことなど）を付与してもよい。これにより、鉄道の利用区間がより長い利用者の数を効率良く増加させることが可能である。
【００４２】
付与処理部１１２は、前記利用者による前記飲食店の最寄駅の利用頻度が予め定められた条件を満たすことを条件として、前記利用者に前記特典を付与してもよい。例えば、付与処理部１１２は、前記利用者による前記飲食店の最寄駅の利用頻度（例えば、過去１ヶ月間の利用回数）が予め定められた閾値（例えば、１５日）よりも低いことを条件として、前記利用者に前記特典を付与してもよい。これにより、通勤や通学などで前記最寄駅を日常的に利用している利用者（すなわち、鉄道の利用者数の増加には貢献しないような利用者）への特典の付与が抑制されるので、鉄道の利用者数を効率良く増加させることが可能である。
【００４３】
付与処理部１１２は、前記利用者が前記飲食店の最寄駅で下車後に前記飲食店を利用し、且つ前記利用者が前記飲食店の利用後に前記最寄駅で乗車したことを条件として、前記利用者に前記特典を付与してもよい。これにより、前記飲食店に行くときと前記飲食店から帰るときの両方とも鉄道を利用した利用者にのみ特典を付与することが可能となる。ただし、この場合は、前記利用者が前記飲食店の利用後に前記最寄駅で乗車したか否かを確認する必要があるため、例えば飲食代の精算時にその場で飲食代を割り引くことはできない。一方、支払った飲食代の一部又は全部を現金又はポイントで還元すること、前記最寄駅で乗車する際の運賃をその場で割り引くことなどは可能である。なお、付与処理部１１２は、前記利用者が前記最寄駅で降車した列車の進行方向と、前記利用者が前記最寄駅で乗車した列車の進行方向とが反対方向であることを条件として、前記利用者に前記特典を付与してもよい。もしくは、付与処理部１１２は、前記利用者が前記最寄駅で降車した列車に乗車した乗車駅と、前記利用者が前記最寄駅で乗車した列車から降車した降車駅とが同一であることを条件として、前記利用者に前記特典を付与してもよい。これにより、乗車駅から本来の目的駅へと電車で向かう途中で前記最寄駅で一旦降車して前記飲食店を利用した利用者（すなわち、鉄道の利用者数の増加には貢献しないような利用者）には特典を付与せず、前記最寄駅で折り返した利用者（すなわち、前記飲食店を利用するためだけに鉄道を利用した利用者）にのみ特典を付与することができる。よって、鉄道の利用者数を効率良く増加させることが可能である。
【００４４】
なお、取得処理部１１１、付与処理部１１２、及び記録処理部１１３の一部又は全部の処理部が、店舗端末２に設けられてもよい。取得処理部１１１、付与処理部１１２、及び記録処理部１１３が設けられた店舗端末２は、本発明の「特典付与装置」の一例である。
【００４５】
［店舗端末２］
図１に示されるように、店舗端末２は、制御部２１、記憶部２２、操作表示部２３、及び通信Ｉ／Ｆ２４などを備える。店舗端末２は、飲食店に配置され、飲食店の従業員によって操作される。店舗端末２は、例えば携帯電話、スマートフォン、タブレット端末、又はパーソナルコンピューターのような情報処理装置である。なお、店舗端末２は、従業員ごとに設けられていてもよい。例えば、１台の据置端末（レジ端末）と従業員が携帯する複数の携帯端末（オーダーエントリー端末）とが店舗端末２として飲食店に配置されてもよい。
【００４６】
通信Ｉ／Ｆ２４は、店舗端末２を有線又は無線で通信網Ｎ１に接続し、通信網Ｎ１を介して特典付与装置１などの外部機器との間で所定の通信プロトコルに従ったデータ通信を実行するための通信インターフェースである。
【００４７】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００４８】
記憶部２２は、各種の情報を記憶するフラッシュメモリーなどの不揮発性の記憶部である。例えば、記憶部２２には、特典付与装置１との間で各種の情報を送受信するための店舗端末プログラムなどの制御プログラムが記憶されている。例えば、前記店舗端末プログラムは、ＣＤ又はＤＶＤなどのコンピューター読取可能な記録媒体に非一時的に記録されており、店舗端末２に電気的に接続されるＣＤドライブ又はＤＶＤドライブなどの読取装置（不図示）で読み取られて記憶部２２に記憶される。
【００４９】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより店舗端末２を制御する。
【００５０】
制御部２１は、例えば、飲食代の精算時に、前記利用者が携帯しているＩＣカードからＩＣカードリーダー（不図示）を通じて前記利用者の識別情報を読み出して、特典付与装置１に送信してもよい。もしくは、制御部２１は、前記利用者が携帯している利用者端末４から前記利用者の識別情報を受信して、特典付与装置１に送信してもよい。そして、制御部２１は、特典付与装置１から受信される信号（例えば、飲食代が半額になる旨を示す信号など）に基づいて、本来の飲食代から割り引かれた金額を、前記利用者への請求金額として操作表示部２３に表示させてもよい。なお、前記ＩＣカードが電子マネーとしての機能を有する場合、制御部２１は、前記ＩＣカードリーダー（不図示）で読み取った前記ＩＣカードの情報に基づいて、前記請求金額についての電子決済処理を実行してもよい。
【００５１】
［鉄道業者サーバー３］
図１に示されるように、鉄道業者サーバー３は、制御部３１、記憶部３２、及び通信Ｉ／Ｆ３３などを備える。鉄道業者サーバー３は、鉄道業者により管理されるサーバーである。鉄道業者サーバー３には、例えば、鉄道の各駅に設置されたクライアント端末から、自動改札機で読み取られたＩＣカードの情報がアップロードされる。
【００５２】
通信Ｉ／Ｆ３３は、鉄道業者サーバー３を有線又は無線で通信網Ｎ１に接続し、通信網Ｎ１を介して特典付与装置１などの外部機器との間で所定の通信プロトコルに従ったデータ通信を実行するための通信インターフェースである。
【００５３】
記憶部３２は、各種の情報を記憶するフラッシュメモリーなどの不揮発性の記憶部である。例えば、記憶部３２には、図６に示される利用履歴情報Ｄ５が記憶される。また、記憶部３２には、鉄道の各駅に設置された前記クライアント端末から各種情報を収集して利用履歴情報Ｄ５として記録するための制御プログラムなどが記憶されている。
【００５４】
制御部３１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部３１は、前記ＲＯＭ又は記憶部３２に予め記憶された各種の制御プログラムを前記ＣＰＵで実行することにより鉄道業者サーバー３を制御する。
【００５５】
制御部３１は、特典付与装置１からの要求に応じて、記憶部３２に記憶されている利用履歴情報Ｄ５から任意の利用者の利用履歴情報を抽出して、特典付与装置１に送信することができる。
【００５６】
［利用者端末４］
図１に示されるように、利用者端末４は、制御部４１、記憶部４２、操作表示部４３、及び通信Ｉ／Ｆ４４などを備える。利用者端末４は、飲食店の利用者が所有する携帯端末であり、例えばスマートフォン、携帯電話、又はタブレット端末のような情報処理装置である。
【００５７】
通信Ｉ／Ｆ４４は、利用者端末４を有線又は無線で通信網Ｎ１に接続し、通信網Ｎ１を介して特典付与装置１などの外部機器との間で所定の通信プロトコルに従ったデータ通信を実行するための通信インターフェースである。
【００５８】
操作表示部４３は、各種の情報を表示する液晶ディスプレイ又は有機ＥＬディスプレイのような表示部と、操作を受け付けるタッチパネル、ボタンなどの操作部とを備えるユーザーインターフェースである。
【００５９】
記憶部４２は、各種の情報を記憶するフラッシュメモリーなどの不揮発性の記憶部である。記憶部４２には、制御部４１に各種の処理を実行させるための各種の制御プログラムが記憶されている。
【００６０】
制御部４１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部４１は、前記ＲＯＭ又は記憶部４２に予め記憶された各種の制御プログラムを前記ＣＰＵで実行することにより利用者端末４を制御する。
【００６１】
［特典付与処理］
以下、図７を参照しつつ、特典付与装置１の制御部１１によって実行される特典付与処理について説明する。例えば、店舗端末２は、飲食代の精算処理時に、特典付与装置１にアクセスする。特典付与装置１の制御部１１は、店舗端末２からのアクセスに応じて前記特典付与プログラムの実行を開始することによって、前記特典付与処理の実行を開始する。なお、制御部１１は、複数の店舗端末２からアクセスされた場合に、店舗端末２ごとに前記特典付与処理を個別に並行して実行してもよい。
【００６２】
なお、本発明は、前記特典付与処理に含まれる一又は複数のステップを実行する特典付与方法の発明として捉えることができる。
【００６３】
なお、ここで説明する前記特典付与処理に含まれる一又は複数のステップが適宜省略されてもよい。また、前記特典付与処理における各ステップは、同様の作用効果を生じる範囲で実行順序が異なってもよい。さらに、ここでは制御部１１によって前記特典付与処理における各ステップが実行される場合を例に挙げて説明するが、他の実施形態では、複数のプロセッサーによって前記特典付与処理における各ステップが分散して実行されてもよい。
【００６４】
＜ステップＳ１１＞
ステップＳ１１において、制御部１１は、飲食店の利用者の識別情報を取得する。例えば、制御部１１は、前記利用者の識別情報を通信網Ｎ１を通じて店舗端末２から受信してもよい。すなわち、店舗端末２が、前記利用者が携帯しているＩＣカードからＩＣカードリーダー（不図示）を通じて前記利用者の識別情報を読み出して、特典付与装置１に送信してもよい。もしくは、店舗端末２が、前記利用者が携帯している利用者端末４から前記利用者の識別情報を受信して、特典付与装置１に送信してもよい。もしくは、制御部１１は、前記利用者の識別情報を通信網Ｎ１を通じて利用者端末４から受信してもよい。
【００６５】
＜ステップＳ１２＞
ステップＳ１２において、制御部１１は、記憶部１２に記憶されている特典履歴情報Ｄ４が、予め定められた特定条件を満たすか否かを判断する。前記特定条件は、例えば、特典情報Ｄ３における前記飲食店の「特典付与条件」に含まれる条件のうち、特典履歴情報に関する条件である。前記特定条件は、例えば、「同一のキャンペーンの実施期間において前記利用者に特典が所定回数（例えば１回）以上付与されていないこと」、「同一の飲食店において前記利用者に特典が所定回数（例えば１回）以上付与されていないこと」などである。例えば、制御部１１は、記憶部１２に記憶されている特典履歴情報Ｄ４の中から、前記ステップＳ１１で取得された前記識別情報に対応する利用者のレコードを抽出する。そして、制御部１１は、抽出されたレコードに基づいて、前記特定条件を満たすか否かを判断する。なお、特典履歴情報Ｄ４がまだ存在しない場合、又は特典履歴情報Ｄ４の中に前記利用者のレコードがまだ１つも含まれていない場合は、制御部１１は、前記利用者に特典がまだ１回も付与されていないとみなして、前記特定条件を満たすか否かを判断してもよい。そして、前記特定条件を満たすと判断されると（Ｓ１２：Ｙｅｓ）、処理がステップＳ１３に移行する。一方、前記特定条件を満たさないと判断されると（Ｓ１２：Ｎｏ）、前記特典付与処理が終了される。なお、前記特定条件を満たさないと判断された場合に、制御部１１は、前記利用者には特典が付与されない旨を示す信号を店舗端末２に送信してもよい。
【００６６】
＜ステップＳ１３＞
ステップＳ１３において、制御部１１は、前記利用者の鉄道の利用履歴情報を取得する。例えば、制御部１１は、前記ステップＳ１１で取得された前記利用者の識別情報を、通信網Ｎ１を通じて鉄道業者サーバー３に送信する。そして、制御部１１は、鉄道業者サーバー３から前記利用者の鉄道の利用履歴情報を通信網Ｎ１を通じて受信する。なお、他の実施形態では、制御部１１は、前記利用者の鉄道の利用履歴情報を、店舗端末２又は利用者端末４から通信網Ｎ１を通じて受信してもよい。すなわち、店舗端末２が、前記利用者が携帯しているＩＣカードからＩＣカードリーダー（不図示）を通じて鉄道の利用履歴情報を読み出して、特典付与装置１に送信してもよい。もしくは、前記利用者が携帯している利用者端末４が、前記利用者の識別情報を記憶部４２から読み出して、特典付与装置１に送信してもよい。当該ステップＳ１３は、本発明の「取得ステップ」の一例である。当該ステップＳ１３の処理は、制御部１１の取得処理部１１１により実行される。
【００６７】
＜ステップＳ１４＞
ステップＳ１４において、制御部１１は、予め定められた特典付与条件を満たすか否かを判断する。なお、前記特典付与条件は、特典情報Ｄ３における前記飲食店の「特典付与条件」に示される条件である。前記特典付与条件は、例えば、「前記利用者が前記飲食店を予約済みであること」、「前記利用者による前記飲食店の利用日時と前記利用者が前記鉄道の最寄駅で降車又は乗車した日時との時間差が、予め定められた閾値以下であること」、「前記利用者による前記飲食店の最寄駅の利用頻度が予め定められた閾値よりも低いこと」などである。すなわち、制御部１１は、記憶部１２に記憶されている店舗情報Ｄ１、予約情報Ｄ２、前記ステップＳ１３で取得された利用履歴情報などに基づいて、前記特典付与条件を満たすか否かを判断する。そして、前記特典付与条件を満たすと判断されると（Ｓ１４：Ｙｅｓ）、処理がステップＳ１５に移行する。一方、前記特典付与条件を満たさないと判断されると（Ｓ１４：Ｎｏ）、前記特典付与処理が終了される。なお、前記特典付与条件を満たさないと判断された場合に、制御部１１は、前記利用者には特典が付与されない旨を示す信号を店舗端末２に送信してもよい。
【００６８】
＜ステップＳ１５＞
ステップＳ１５において、制御部１１は、前記利用者に特典を付与する。具体的に、制御部１１は、特典情報Ｄ３に示される前記飲食店の「特典ＩＤ」に対応する特典を、前記利用者に付与する。前記特典は、例えば、飲食代が半額になる特典、特定の飲食物が無料になる特典、割引クーポンのようなクーポンが付与される特典、金銭的価値を有するポイントが付与される特典などである。なお、前記特典が、例えば、飲食代が半額になる特典、特定の飲食物が無料になる特典などである場合、制御部１１は、飲食代が半額になる旨を示す信号、特定の飲食物が無料になる旨を示す信号などを店舗端末２に送信する。その結果、店舗端末２において、飲食代を半額にする処理、特定の飲食物を無料にする処理などが実行される。当該ステップＳ１５は、本発明の「付与ステップ」の一例である。当該ステップＳ１５の処理は、制御部１１の付与処理部１１２により実行される。
【００６９】
＜ステップＳ１６＞
ステップＳ１６において、制御部１１は、前記ステップＳ１５で前記利用者に付与された特典に関する情報を、特典履歴情報として記録する。具体的に、制御部１１は、記憶部１２に記憶されている特典履歴情報Ｄ４に、前記ステップＳ１５で前記利用者に付与された特典に関する新たなレコードを追加する。当該ステップＳ１６は、本発明の「記録ステップ」の一例である。当該ステップＳ１６の処理は、制御部１１の記録処理部１１３により実行される。こうして、前記特典付与処理が終了される。
【００７０】
以上説明したように、本実施形態に係る特典付与システム１００では、鉄道の利用履歴情報に基づいて前記利用者に特典が付与される。ただし、特典付与システム１００では、飲食店の利用者に特典が付与された場合に、前記利用者に前記特典が付与されたことを示す特典履歴情報が記録される。そして、前記特典履歴情報が特定条件を満たす場合に、鉄道の利用履歴情報に基づいて前記利用者に特典が付与される。よって、通勤や通学などで鉄道を日常的に利用している利用者に対して特典が無制限に付与されてしまうことを回避することができる。これにより、鉄道の利用者数の増加には貢献しないような利用者への特典の付与が抑制されるので、鉄道の利用者数を効率良く増加させることが可能である。
【００７１】
なお、本実施形態では、鉄道の利用履歴情報に基づいて、飲食店の利用者に特典が付与されるが、本発明はこれに限定されない。他の実施形態では、鉄道以外の特定の交通機関（例えば、バス、タクシーなど）の利用履歴情報に基づいて、飲食店の利用者に特典が付与されてもよい。これにより、特定の交通機関の利用者数を効率良く増加させることが可能である。もしくは、飲食店の利用履歴情報に基づいて、鉄道の利用者に特典が付与されてもよい。例えば、特定の飲食店を利用した利用者に対して、前記飲食店の最寄駅からの運賃が割り引かれてもよい。これにより、前記飲食店の利用者数を効率良く増加させることが可能である。もしくは、宿泊施設の利用履歴情報に基づいて、飲食店の利用者に特典が付与されてもよい。これにより、前記飲食店の利用者数を効率良く増加させることが可能である。もしくは、飲食店Ａの利用履歴情報に基づいて、飲食店Ａとは異なる飲食店Ｂの利用者に特典が付与されてもよい。これにより、前記飲食店Ａの利用者数を効率良く増加させることが可能である。
【符号の説明】
【００７２】
１００  特典付与システム
１      特典付与装置
１１    制御部
１１１  取得処理部
１１２  付与処理部
１１３  記録処理部
１２    記憶部
１３    通信Ｉ／Ｆ
２      店舗端末
３      鉄道業者サーバー
４      利用者端末
【図１】
2019185574.tif 000003
【図２】
2019185574.tif 000004
【図３】
2019185574.tif 000005
【図４】
2019185574.tif 000006
【図５】
2019185574.tif 000007
【図６】
2019185574.tif 000008
【図７】
2019185574.tif 000009